(57)【要約】      （修正有）【課題】酷暑の屋外で長時間活動しても、保冷機能を維持することができる上、屋外における激しい運動に伴って被る干渉や衝突および摩擦などの様々な負荷に充分に耐える耐久性を有する新たな冷却衣技術を提供する。【解決手段】底辺ＢＳの左右端から上方に延伸された左右平行辺ＰＳ、左右平行辺ＰＳの上端から上方に次第に幅狭くなるよう傾斜された左右三角筋回避辺ＤＳ、および上辺ＵＳを有する裏殻壁３が設けられ、該裏殻壁３の底辺ＢＳ、左右平行辺ＰＳ、左右三角筋回避辺ＤＳおよび上辺ＵＳから、裏表端間幅Ｄがパネル厚寸法Ｄに設定された周囲殻壁４が立ち上げられ、該周囲殻壁４の表端には、裏殻壁３に対峙する表殻壁５が設けられ、裏殻壁３、周囲殻壁４および表殻壁５に囲まれた内部に密閉収容部６が設けられた胸部用防弾パネル型ケース２であって、該密閉収容部６中には、蓄冷材７が充填されてなる胸部用防弾パネル型保冷具１である。【選択図】図１
2020105661.tif 000002
【特許請求の範囲】
【請求項１】
直立姿勢の着用対象人体の腹部左右端間幅の１／１ないし１／３の左右端間幅に設定された底辺、底辺の左右端から上方に向けて延伸された左右平行辺、左右平行辺の上端から上方に向かうに従って左右端間が次第に幅狭くなるよう傾斜、延伸された左右三角筋回避辺、および、左右三角筋回避辺の上端間に掛け渡された上辺を有し、前記底辺、左右三角筋回避辺、上辺を含む全面が、着用対象人体の胸部周囲に沿って鉛直軸心周りの円弧状断面形に湾曲され、しかも、前記左右平行辺、左右三角筋回避辺を含む全面が、着用対象人体の胸部周囲に沿って水平軸心周りの円弧状断面形に湾曲され、着用対象人体の胸部周囲に沿って配されることとなる裏殻壁が設けられ、該裏殻壁の底辺、左右平行辺、左右三角筋回避辺および上辺から、裏表端間幅がパネル厚寸法に設定された周囲殻壁が立ち上げられ、該周囲殻壁の表端には、裏殻壁に対峙する表殻壁が設けられ、裏殻壁、周囲殻壁および表殻壁に囲まれた内部に密閉収容部が設けられた熱伝導性、密閉状の硬質な胸部用防弾パネル型ケースであって、該胸部用防弾パネル型ケースの密閉収容部中には、蓄冷材が充填されてなるものとしたことを特徴とする胸部用防弾パネル型保冷具。
【請求項２】
直立姿勢の着用対象人体の腹部左右端間幅の１／１ないし１／３の左右端間幅に設定された底辺、底辺の左右端から上方に向けて延伸された左右平行辺、左右平行辺の上端から上方に向かうに従って左右端間が次第に幅狭くなるよう傾斜、延伸された左右三角筋回避辺、および、左右三角筋回避辺の上端間に掛け渡された上辺を有し、前記底辺、左右三角筋回避辺、上辺を含む全面が、着用対象人体の胸部周囲に沿って鉛直軸心周りの円弧状断面形に湾曲され、しかも、前記左右平行辺、左右三角筋回避辺を含む全面が、着用対象人体の胸部周囲に沿って水平軸心周りの円弧状断面形に湾曲され、着用対象人体の胸部周囲に沿って配されることとなる裏殻壁が設けられ、該裏殻壁の底辺、左右平行辺、左右三角筋回避辺および上辺から、裏表端間幅がパネル厚寸法に設定された周囲殻壁が立ち上げられ、該周囲殻壁の表端には、裏殻壁に対峙する表殻壁が設けられ、裏殻壁、周囲殻壁および表殻壁に囲まれた内部に密閉収容部が設けられた熱伝導性、密閉状の硬質な胸部用防弾パネル型ケースであって、該胸部用防弾パネル型ケースの密閉収容部中には、蓄冷材が充填され、着用対象人体に被着される着衣類に設けられた胸部衣嚢に着脱自在に装填されるものとしたことを特徴とする胸部用防弾パネル型保冷具。
【請求項３】
直立姿勢の着用対象人体の腹部左右端間幅の１／１ないし１／３の左右端間幅に設定され、直立姿勢の着用対象人体の臍部付近に水平に配置されることとなる底辺、底辺の左右端から鉛直上方に向けて直角且つ互いに平行に延伸され、上端が直立姿勢の着用対象人体の胸部付近に達する高さに設定された左右平行辺、左右平行辺の上端から直立姿勢の着用対象人体の鎖骨の直下付近に達するよう、上方に向かうに従って左右端間が次第に幅狭くなる左右対称状に傾斜、延伸された左右三角筋回避辺、および、左右三角筋回避辺の上端間に、底辺に平行するよう水平に掛け渡され、且つ直立姿勢の着用対象人体の首の略左右端間幅に相当する左右端間幅に設定された上辺を有し、前記底辺、左右三角筋回避辺、上辺を含む全面が、着用対象人体の胸部周囲に沿って鉛直軸心周りの水平曲率半径の緩やかな円弧状断面形に湾曲され、しかも、前記左右平行辺、左右三角筋回避辺を含む全面が、着用対象人体の胸部周囲に沿って水平軸心周りの前記水平曲率半径よりも大きな垂直曲率半径の緩やかな円弧状断面形に湾曲され、着用対象人体の胸部の前・後の何れか一方に沿って配されることとなる裏殻壁が設けられ、該裏殻壁の底辺、左右平行辺、左右三角筋回避辺および上辺から、裏表端間幅がパネル厚寸法に設定された周囲殻壁が略水平方向に立ち上げられ、該周囲殻壁の表端には、裏殻壁に対し、裏殻壁と略同形状となって対峙する表殻壁が設けられ、裏殻壁、周囲殻壁および表殻壁に囲まれた内部に外部形状と立体的相似形とされた密閉収容部が設けられた熱伝導性、密閉状の硬質な胸部用防弾パネル型ケースであって、該胸部用防弾パネル型ケースの密閉収容部中には、密閉収容部の全部または一部の何れか一方を満たす量の蓄冷材が充填されてなるものとしたことを特徴とする胸部用防弾パネル型保冷具。
【請求項４】
裏殻壁または表殻壁の少なくとも何れか一方の中央付近に、上下方向に向いた直線状をなす外向き凹条形の複数本の補強レール部が、左右方向に等間隔を隔てて配されてなるものとした、請求項１ないし３何れか一記載の胸部用防弾パネル型保冷具。
【請求項５】
裏殻壁が、その外がわの略全面に緩衝材層が、積層状に一体化されてなるものとした、請求項１ないし４何れか一記載の胸部用防弾パネル型保冷具。
【請求項６】
着用対象人体に対して伝熱可能に被着される前身頃部または後身頃部の少なくとも何れか一方を有した着衣体であって、該着衣体の前身頃部または後身頃部の少なくとも何れか一方の中央に、胸部用防弾パネル型保冷具を着脱自在に装填可能な形状の胸部衣嚢が設けられ、該胸部衣嚢に胸部用防弾パネル型保冷具が着脱自在に装填されてなるものとした、請求項１ないし請求項５何れか一記載の胸部用防弾パネル型保冷具を利用した冷却衣。
【請求項７】
着用対象人体に対し伝熱可能に被着される前身頃部および後身頃部を有し、双肩に掛ける肩ベルト部、および、後身頃部から前身頃部に左右胸部を回り込む胸部ベルト部が設けられた防弾ベスト型の着衣体であって、該防弾ベスト型の着衣体の前身頃部または後身頃部の少なくとも何れか一方の中央に、胸部用防弾パネル型保冷具を着脱自在に装填可能な形状の胸部衣嚢が設けられ、胸部衣嚢に胸部用防弾パネル型保冷具が着脱自在に装填されてなるものとした、請求項１ないし請求項５何れか一記載の胸部用防弾パネル型保冷具を利用した冷却衣。
【発明の詳細な説明】
【技術分野】
【０００１】
この発明は、夏季の屋外活動や高温の室内作業の際に着用し、体温の異常な上昇を阻止して熱中症を未然に予防する技術に関連するものであり、特に、人体に着用することによって体温の上昇を阻止する冷却衣を製造、提供する分野、および冷却衣に蓄冷機能を付与する保冷具の技術分野は勿論のこと、冷却衣、およびそれに組み込まれる保冷具の製造、組み立て、輸送および保管、販売、利用に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                                        
【背景技術】
【０００２】
（着目点）
近年は、夏になると国内に留まらず世界各地で４０°を超えるような猛暑日が続き、マスコミが連日のように熱中症の予防策に関する情報や注意喚起を盛んに行うようになり、こうした酷暑の中、従前までと同様に野外レジャーを楽しんだり、屋外作業を行ったりするのが非常に困難なものとなっており、体温の上昇を防ぐ対策をせずに長時間に渡って屋外活動を続けると、気付かぬ中に生命に関わる重篤な症状に陥る危険性が高まっている。
【０００３】
（従来の技術）
こうした状況を反映し、その打開策となるような提案もこれまでに散見されない訳ではない。
例えば、下記に列挙する特許文献１（１）ないし（５）に提案されているものなどに代表されるように、高吸水性樹脂、水および保存料からなる蓄冷材が、柔軟性の小さな袋体に充填され、凍結された場合にも柔軟性を維持するものとされてなる保冷具が、作業用の防護服や背広などの、襟部、腹部、胸部、脇下、背部、腹部側面や、皮膚の表面に近い動脈（頸部に位置する頸動脈、腋下部に位置する腋窩動脈、太腿付け根部に位置する鼠径動脈など）に対応するよう配設されたポケットに対し、着脱自在に装着されるようにしたものなどが散見される。
【０００４】
しかし、前者特許文献１（１）ないし（５）などに示されているような柔軟性を有する小さな袋体に、ゲル状の蓄冷材が充填された保冷具は、蓄冷の容量が小さく、複数個が適切に配置されたものとしなければならず、さらに、高温環境下で長時間に渡って行動するような場合には、冷却機能が低下する毎に、凍結された保冷具と交換する必要があり、交換を怠ると熱中症の予防効果が失われてしまうという欠点がある上、例えば、サバイバルゲームなどのように激しく動き周り、様々な姿勢をとるようなレジャーやスポーツ、屋外作業などの場合には、袋体に激しい摩擦力や圧力、衝撃力などが加わって破損してしまい、ゲル状の蓄冷材が漏れ出してしまう虞があるという致命的な欠陥もあった。                                      
【特許文献１】（１）特開２００７−３１４９２４号公報    （２）特開２００９−１２７１４７号公報    （３）特開２０１０−２５５１５２号公報    （４）実用新案登録第３０８８３５１号公報    （５）実用新案登録第３１３６５７８号公報
【発明の概要】
【発明が解決しようとする課題】
【０００５】
（問題意識）
上述したとおり、従前までに提案のある各冷却衣などは、何れも柔軟性を有する小さな袋体に、ゲル状の蓄冷材が充填された保冷具の複数個が、着衣体の要所々々に設けられたポケットに収容されたものとなっているが、小さな保冷具は、保冷機能を長時間維持するのが難しく、冷却機能が失われたときには、冷凍された保冷具と速やかに交換しなければならず、冷凍や冷蔵設備を準備するのが難しい屋外活動などの際には、保冷具の管理が困難な外、着用者がレジャーやスポーツなどに興じていると交換時期が遅れてしまったり、激しい運動によって破損してしまったりする虞があるから、例えば、サバイバルゲームのように、複雑な地形の中で、走り、倒れ込み、匍匐前進するなどの激しい運動に耐える充分な強度を備えたものとはなっていなかったというのが実情であった。
【０００６】
（発明の目的）
そこで、この発明は、酷暑の屋外で長時間活動した場合にも、保冷機能を維持することができる上、屋外における激しい運動に伴って被る干渉や衝突および摩擦などの様々な外的負荷に充分に耐える優れた耐久性を有する新たな冷却衣技術の開発はできないものかとの判断から、逸速くその開発、研究に着手し、長期に渡る試行錯誤と幾多の試作、実験とを繰り返してきた結果、今回、遂に新規な構造の胸部用防弾パネル型保冷具、およびそれを利用した新規な構造の冷却衣を実現化することに成功したものであり、以下では、図面に示すこの発明を代表する実施例と共に、その構成を詳述することとする。                                    
【課題を解決するための手段】
【０００７】
（発明の構成）
図面に示すこの発明を代表する実施例からも明確に理解されるように、この発明の胸部用防弾パネル型保冷具は、基本的に次のような構成から成り立っている。
即ち、直立姿勢の着用対象人体の腹部左右端間幅の１／１ないし１／３の左右端間幅に設定された底辺、底辺の左右端から上方に向けて延伸された左右平行辺、左右平行辺の上端から上方に向かうに従って左右端間が次第に幅狭くなるよう傾斜、延伸された左右三角筋回避辺、および、左右三角筋回避辺の上端間に掛け渡された上辺を有し、前記底辺、左右三角筋回避辺、上辺を含む全面が、着用対象人体の胸部周囲に沿って鉛直軸心周りの円弧状断面形に湾曲され、しかも、前記左右平行辺、左右三角筋回避辺を含む全面が、着用対象人体の胸部周囲に沿って水平軸心周りの円弧状断面形に湾曲され、着用対象人体の胸部周囲に沿って配されることとなる裏殻壁が設けられ、該裏殻壁の底辺、左右平行辺、左右三角筋回避辺および上辺から、裏表端間幅がパネル厚寸法に設定された周囲殻壁が立ち上げられ、該周囲殻壁の表端には、裏殻壁に対峙する表殻壁が設けられ、裏殻壁、周囲殻壁および表殻壁に囲まれた内部に密閉収容部が設けられた熱伝導性、密閉状の硬質な胸部用防弾パネル型ケースであって、該胸部用防弾パネル型ケースの密閉収容部中には、蓄冷材が充填されてなるものとした構成を要旨とする胸部用防弾パネル型保冷具である。
【０００８】
この基本的な構成からなる胸部用防弾パネル型保冷具は、その表現を変えて示すならば、直立姿勢の着用対象人体の腹部左右端間幅の１／１ないし１／３の左右端間幅に設定された底辺、底辺の左右端から上方に向けて延伸された左右平行辺、左右平行辺の上端から上方に向かうに従って左右端間が次第に幅狭くなるよう傾斜、延伸された左右三角筋回避辺、および、左右三角筋回避辺の上端間に掛け渡された上辺を有し、前記底辺、左右三角筋回避辺、上辺を含む全面が、着用対象人体の胸部周囲に沿って鉛直軸心周りの円弧状断面形に湾曲され、しかも、前記左右平行辺、左右三角筋回避辺を含む全面が、着用対象人体の胸部周囲に沿って水平軸心周りの円弧状断面形に湾曲され、着用対象人体の胸部周囲に沿って配されることとなる裏殻壁が設けられ、該裏殻壁の底辺、左右平行辺、左右三角筋回避辺および上辺から、裏表端間幅がパネル厚寸法に設定された周囲殻壁が立ち上げられ、該周囲殻壁の表端には、裏殻壁に対峙する表殻壁が設けられ、裏殻壁、周囲殻壁および表殻壁に囲まれた内部に密閉収容部が設けられた熱伝導性、密閉状の硬質な胸部用防弾パネル型ケースであって、該胸部用防弾パネル型ケースの密閉収容部中には、蓄冷材が充填され、着用対象人体に被着される着衣類に設けられた胸部衣嚢に着脱自在に装填されるものとした構成からなる胸部用防弾パネル型保冷具となる。
【０００９】
より具体的には、直立姿勢の着用対象人体の腹部左右端間幅の１／１ないし１／３の左右端間幅に設定され、直立姿勢の着用対象人体の臍部付近に水平に配置されることとなる底辺、底辺の左右端から鉛直上方に向けて直角且つ互いに平行に延伸され、上端が直立姿勢の着用対象人体の胸部付近に達する高さに設定された左右平行辺、左右平行辺の上端から直立姿勢の着用対象人体の鎖骨の直下付近に達するよう、上方に向かうに従って左右端間が次第に幅狭くなる左右対称状に傾斜、延伸された左右三角筋回避辺、および、左右三角筋回避辺の上端間に、底辺に平行するよう水平に掛け渡され、且つ直立姿勢の着用対象人体の首の略左右端間幅に相当する左右端間幅に設定された上辺を有し、前記底辺、左右三角筋回避辺、上辺を含む全面が、着用対象人体の胸部周囲に沿って鉛直軸心周りの水平曲率半径の緩やかな円弧状断面形に湾曲され、しかも、前記左右平行辺、左右三角筋回避辺を含む全面が、着用対象人体の胸部周囲に沿って水平軸心周りの前記水平曲率半径よりも大きな垂直曲率半径の緩やかな円弧状断面形に湾曲され、着用対象人体の胸部の前・後の何れか一方に沿って配されることとなる裏殻壁が設けられ、該裏殻壁の底辺、左右平行辺、左右三角筋回避辺および上辺から、裏表端間幅がパネル厚寸法に設定された周囲殻壁が略水平方向に立ち上げられ、該周囲殻壁の表端には、裏殻壁に対し、裏殻壁と略同形状となって対峙する表殻壁が設けられ、裏殻壁、周囲殻壁および表殻壁に囲まれた内部に外部形状と立体的相似形とされた密閉収容部が設けられた熱伝導性、密閉状の硬質な胸部用防弾パネル型ケースであって、該胸部用防弾パネル型ケースの密閉収容部中には、密閉収容部の全部または一部の何れか一方を満たす量の蓄冷材が充填されてなるものとした構成からなる胸部用防弾パネル型保冷具となる。
【００１０】
（関連する発明１）
上記した胸部用防弾パネル型保冷具に関連し、この発明には、それを利用した冷却衣も包含している。
即ち、着用対象人体に対して伝熱可能に被着される前身頃部または後身頃部の少なくとも何れか一方を有した着衣体であって、該着衣体の前身頃部または後身頃部の少なくとも何れか一方の中央に、胸部用防弾パネル型保冷具を着脱自在に装填可能な形状の胸部衣嚢が設けられ、該胸部衣嚢に胸部用防弾パネル型保冷具が着脱自在に装填されてなるものとした、この発明の基本をなす前記胸部用防弾パネル型保冷具を利用した冷却衣である。
【００１１】
この発明の冷却衣を、より具体的なものとして示すならば、着用対象人体に対し伝熱可能に被着される前身頃部および後身頃部を有し、双肩に掛ける肩ベルト部、および、後身頃部から前身頃部に左右胸部を回り込む胸部ベルト部が設けられた防弾ベスト型の着衣体であって、該防弾ベスト型の着衣体の前身頃部または後身頃部の少なくとも何れか一方の中央に、胸部用防弾パネル型保冷具を着脱自在に装填可能な形状の胸部衣嚢が設けられ、胸部衣嚢に胸部用防弾パネル型保冷具が着脱自在に装填されてなるものとした、この発明の基本をなす前記胸部用防弾パネル型保冷具を利用した冷却衣ということができる。                              
【発明の効果】
【００１２】
以上のとおり、この発明の胸部用防弾パネル型保冷具によれば、従前までのものとは違い、上記したとおりの固有の特徴ある構成から、着用対象人体の胸部の略全体をより効果的に冷却することができる上、蓄冷材の収容量が格段に大きくなるから、より長時間に渡って高い冷却効果を発揮することができるものとなり、しかも密閉状の硬質な胸部用防弾パネル型ケースが、従来型の軟質樹脂性の袋体などに比較して遙かに高い耐久強度を有するから、例えばサバイバルゲームなどの夏季の炎天下で激しく行動するようなスポーツやレジャーなどで着用した場合にも、容易に破損することなく、着用対象人体の胸部をより安全に保護するものになるという秀でた効果を奏するものである。
【００１３】
加えて、胸部用防弾パネル型ケースは、裏殻壁および表殻壁の上端左右がわの両角部分が排除された形状となるよう左右三角筋回避辺が設けられているから、着用対象人体に着用された場合に、左右の腕や肩の動きを妨げることがなく、しかも底辺が、着用対象人体の胸部直下の腹部付近に配されるよう着用されるものとなるから、要部付近から下の下半身の動きを妨げることがなく、身体の可動域が充分に確保され、動き易いという形状的特徴を有している。
【００１４】
そして、胸部用防弾パネル型ケースは、その裏殻壁が、底辺、左右三角筋回避辺、上辺を含む全面が、着用対象人体の胸部周囲に沿って鉛直軸心周りの水平曲率半径の緩やかな円弧状断面形に湾曲され、しかも、前記左右平行辺、左右三角筋回避辺を含む全面が、着用対象人体の胸部周囲に沿って水平軸心周りの前記水平曲率半径よりも大きな垂直曲率半径の緩やかな円弧状断面形に湾曲されたものとなっているから、着用対象人体の胸部形状に対し、より密着状に装着可能となる面積が増大し、一段と効果的な冷却を実現化できるものとなる。
【００１５】
さらに、胸部用防弾パネル型ケースの裏殻壁または表殻壁の少なくとも何れか一方の中央付近に、上下方向に向いた直線状をなす外向き凹条形の複数本の補強レール部が、左右方向に等間隔を隔てて配されてなる胸部用防弾パネル型保冷具は、強い外圧や衝撃力などを受けた場合にも、容易に変形することなく、格段に高い強度のものとなり、着用対象人体の胸部をより一層安全に保護するものとなる。
【００１６】
裏殻壁が、その外がわの略全面に緩衝材層を積層状に一体化するようにしてなる胸部用防弾パネル型保冷具によると、緩衝材層が、着用対象人体の胸部との隙間を無くして一段と冷却効果を高めるものとなり、しかも、胸部用防弾パネル型保冷具に入力した衝撃力や圧力、摩擦力などの外力を格段に緩和すると共に、胸部用防弾パネル型保冷具それ自体と着用対象人体の胸部との強い接触を防止し、着用対象人体をさらに安全に保護できるものとなる。
【００１７】
この発明の冷却衣によれば、密閉収容部内の蓄冷材が凍結された状態の、この発明の基本をなす胸部用防弾パネル型保冷具を、着用対象人体の胸部に安全且つ確実に装着することができ、胸部用防弾パネル型保冷具を着用対象人体の胸部に対し、着衣体の前身頃部または後身頃部の少なくとも何れか一方を介し、より効果的に冷却可能に着用できるものとなり、しかも、胸部用防弾パネル型保冷具の蓄冷材が、着用対象人体および太陽熱や大気熱などを吸収して融解し、冷却効果が失われた場合に、蓄冷材が、凍結された胸部用防弾パネル型保冷具と速やかに交換することが可能となり、より効率的な利用を実現化できるものとなる上、防弾ベスト型の着衣体とされた冷却衣によれば、例えばサバイバルゲームなどの装備に違和感なく着用することができ、炎天下における長時間の活動を、より安全なものとすることができるという大きな効果を奏することになる。                                                  
【発明を実施するための最良の形態】
【００１８】
上記したとおりの構成からなるこの発明の実施に際し、その最良もしくは望ましい形態について説明を加えることにする。
この発明の基本をなす胸部用防弾パネル型保冷具は、防弾ベストに装着されて銃弾の貫通を防止する防弾パネルに似せた外観形状を呈し、内部に蓄冷材が収容され、外部の熱を吸収する機能を分担するものであり、胸部用防弾パネル型ケースは、その内部に蓄冷材が充填され、外部の熱を内部に収容された蓄冷材に伝達し、冷却衣に設けられた衣嚢に着脱自在に収容可能となる機能を担っており、他物との接触や摩擦によっても容易に破損しない程度の硬質素材からなるものとしなければならず、例えば、ポリプロピレン樹脂、ポリエチレン樹脂、ポリ塩化ビニル樹脂、ポリスチレン樹脂、耐衝撃性樹脂、ポリカーボネート樹脂、ポリエチレンテレフタレート樹脂、その他の少なくとも何れか一つの合成樹脂製か、または、透明、半透明、不透明の何れか一つの合成樹脂製か、それらの組み合わせかの何れか一つからなる合成樹脂製、アルムニウム、チタン、ブリキ、トタン、銅、黄銅、その他の少なくとも一つからなる金属製、または合金製のものなどとすることができ、さらにまた、陶製やガラス製などのものとすることが可能である。
【００１９】
着用対象人体は、この発明の胸部用防弾パネル型保冷具、およびそれを利用した冷却衣を着用することとなる対象の人体であり、例えば、子供、大人、高齢者、男性、女性など、様々な年齢層の人体の何れかに設定することが可能である外、Ｓサイズ、Ｍサイズ、Ｌサイズ、ＬＬサイズなどの何れかのサイズの人体に設定することが可能であり、後述する実施例にも示すように、我が国における標準的な平均的身長の男性を着用対象人体として設定されたものとすることが可能である。
【００２０】
胸部用防弾パネル型ケースの裏殻壁は、着用対象人体の胸部周囲に沿って配され、着用対象人体からの熱を、内部に収容してある蓄冷材に伝達する機能を担い、直立姿勢の着用対象人体の腹部左右端間幅の１／１ないし１／３の左右端間幅に設定された底辺、底辺の左右端から上方に向けて延伸され左右平行辺、左右平行辺の上端から上方に向かうに従い、左右端間が次第に幅狭くなるよう傾斜、延伸された左右三角筋回避辺、および、左右三角筋回避辺の上端間に掛け渡された上辺を有し、前記底辺、左右三角筋回避辺、上辺を含む全面が、着用対象人体の胸部周囲に沿って鉛直軸心周りの円弧状断面形に湾曲され、しかも、前記左右平行辺、左右三角筋回避辺を含む全面が、着用対象人体の胸部周囲に沿って水平軸心周りの円弧状断面形に湾曲され、着用対象人体の胸部周囲に沿って配されることとなるものとしなければならない。
【００２１】
裏殻壁の底辺は、直立姿勢の着用対象人体の腹部左右端間幅の１／１ないし１／３の左右端間幅となり、左右平行辺は、底辺の左右端間幅を維持したまま上方に延伸され、直立姿勢の着用対象人体の胸部付近に達する高さとされ、着用対象人体の胸部のより広い面積に対応可能なもとなり、左右三角筋回避辺は、直立姿勢の着用対象人体の鎖骨の直下付近に達するよう、上方に向かうに従い左右端間が次第に幅狭くなるよう傾斜、延伸され、着用対象人体の両肩の可動域をより広く確保可能なものとなり、上辺が、左右三角筋回避辺の上端間に平行するよう、水平に掛け渡され、裏殻壁の底辺、左右平行辺、左右三角筋回避辺および上辺に周囲殻壁が一体化され、密閉収容部の一部となって蓄冷材の漏出を阻止する機能を担い、前記底辺、左右三角筋回避辺、上辺を含む全面が、着用対象人体の胸部周囲に沿って鉛直軸心周りの水平曲率半径の緩やかな円弧状断面形に湾曲され、しかも、前記左右平行辺、左右三角筋回避辺を含む全面が、着用対象人体の胸部周囲に沿って水平軸心周りの前記水平曲率半径よりも大きな垂直曲率半径の緩やかな円弧状断面形に湾曲され、着用対象人体に対し、冷却衣を介して装着された場合に、着用対象人体の胸部との間の隙間ができるだけ生じない形状となるものとすべきである。
【００２２】
周囲殻壁は、裏殻壁の周縁と表殻壁の周縁とを繋ぎ、胸部用防弾パネル型ケースに厚みを与え、密閉収容部に充分な容量を確保する機能を担い、密閉収容部に充填された蓄冷材の漏洩を阻止するものとしなければならず、適所に蓄冷材の注入口が設けられ、該注入口に開閉可能な栓が設けられたものとすることが可能である外、該注入口が、蓄冷材の充填された上で、開放不能な密閉状に封鎖されたものとすることが可能である。
【００２３】
表殻壁は、外周囲の周囲殻壁を介し、裏殻壁と一体化され、密閉収容部を形成する機能を担い、裏殻壁と略同じ形状のものとするのが望ましく、製造の段階に必要となる金型成形用の抜き勾配などのために、裏殻壁の面積よりも僅かに小さな面積に設定されたものとなることがある外、外表面の一部または前部に対し、断熱材や緩衝材、結露吸収素材などが積層状に設けられたものとすることが可能である。
【００２４】
また、後述する実施例にも示しているように、裏殻壁または表殻壁の少なくとも何れか一方の中央付近に、上下方向に向いた直線状をなす外向き凹条形の複数本の補強レール部が、左右方向に等間隔を隔てて配されてなるものとすることが可能であり、さらにまた、裏殻壁が、その外がわの略全面に緩衝材層を積層状に一体化するようにしてなるものとすることが可能であり、該緩衝材層は、吸水性または通水性の少なくとも何れか一方に優れ、伝熱可能であり、緩衝性に優れた素材製のものとすべきであり、例えば、メッシュ生地、フェルト生地、タオル生地、その他の生地類とするのが望ましく、発泡ウレタン、スポンジ、その他の軟質合成樹脂製のものや、合成ゴムや天然ゴムなどにパンチング孔加工や発泡加工、メッシュ加工などの何れかが施された素材製のものなどとすることができる。
【００２５】
密閉収容部は、胸部用防弾パネル型ケースの外郭形状および寸法に応じた充分な量の蓄冷材を収容可能とする機能を担うものであり、例えば、合成樹脂が射出成形によって複数に分割された成型部品同士が、接着剤や熔着などによって一体化され、内部に密閉収容部が設けられた胸部用防弾パネル型ケースとされたものとすることが可能である外、後述する実施例にも示しているように、合成樹脂がブロー成形されることによって胸部用防弾パネル型ケースの内部に密閉収容部が設けられたものとすることが可能である。
【００２６】
蓄冷材は、胸部用防弾パネル型ケースの密閉収容部に収容され、この発明の基本をなす胸部用防弾パネル型保冷具に蓄冷する機能を担うものであり、胸部用防弾パネル型ケースの密閉収容部への充填を考慮すると、充填工程中は少なくとも液体または半固体の状態を維持可能な性質を有する素材からなるものとしなければならず、例えば、水のみか、水に防腐剤または保存料が添加されたものかの何れか一方とすることができる外、約９９パーセントの水と高吸水性樹脂（ポリアクリル酸ナトリウム）および適量の防腐剤の混合物、または、９８％が水、高吸水性ポリマー、（アクリル系酸系またはアクリルアミド系）、適量の着色料および適量の保存料の混合物などの何れかとすることが可能である。
【００２７】
冷却衣の着衣体は、着用対象人体の胸部に対し、この発明の基本をなす胸部用防弾パネル型保冷具を装着可能とする機能を分担し、着用対象人体に対して伝熱可能に被着される前身頃部または後身頃部の少なくとも何れか一方を有した着衣体であって、該着衣体の前身頃部または後身頃部の少なくとも何れか一方の中央に、胸部用防弾パネル型保冷具を着脱自在に装填可能な形状の胸部衣嚢が設けられ、該胸部衣嚢に胸部用防弾パネル型保冷具が着脱自在に装填されてなるものとしなければならず、後述する実施例にも示すように、着用対象人体に対し伝熱可能に被着される前身頃部および後身頃部を有し、双肩に掛ける肩ベルト部、および、後身頃部から前身頃部に左右胸部を回り込む胸部ベルト部が設けられた防弾ベスト型の着衣体であって、該防弾ベスト型の着衣体の前身頃部または後身頃部の少なくとも何れか一方の中央に、胸部用防弾パネル型保冷具を着脱自在に装填可能な形状の胸部衣嚢が設けられ、胸部衣嚢に胸部用防弾パネル型保冷具が着脱自在に装填されてなるものとすることができる。
【００２８】
着衣体および胸部衣嚢の素材は、天然繊維、合成繊維、皮革、天然ゴム、その他の柔軟性を有する素材製のものとするのが良く、透水性や通気性、伝熱性などに貧しい素材の場合には、メッシュ加工やパンチング加工、発泡加工、凹凸加工などの様々な加工が施され、熱伝達性が確保されたものとするのが良い。
以下では、図面に示すこの発明を代表する実施例と共に、その構造について詳述することとする。                                                                                                
【図面の簡単な説明】
【００２９】
図面は、この発明の胸部用防弾パネル型保冷具、およびそれを利用した冷却衣の技術的思想を具現化した代表的な幾つかの実施例を示すものである。
【図１】胸部用防弾パネル型保冷具１を示す三面図である。
【図２】着用対象人体Ｐに着用された冷却衣９を示す正面図である。
【図３】着用対象人体Ｐに着用された冷却衣９を示す側面図である。
【図４】防弾ベスト型の冷却衣９と胸部用防弾パネル型保冷具１とを示す正面図である。
【図５】防弾ベスト型の冷却衣９の前身頃部９０の分解状態を示す斜視図である。
【図６】防弾ベスト型の冷却衣９の後身頃部９１の分解状態を示す斜視図である。
【図７】ジャケット型の冷却衣９を示す正面図である。
【図８】オーバーオール型の冷却衣９を示す正面図である。
【実施例１】
【００３０】
図１ないし図３に示す事例は、底辺ＢＳの左右端から上方に向けて延伸された左右平行辺ＰＳ、左右平行辺ＰＳの上端から上方に向かうに従って次第に幅狭くなるよう傾斜された左右三角筋回避辺ＤＳ、および上辺ＵＳを有し、着用対象人体Ｐの胸部周囲に沿って配されることとなる裏殻壁３が設けられ、該裏殻壁３の底辺ＢＳ、左右平行辺ＰＳ、左右三角筋回避辺ＤＳおよび上辺ＵＳから、裏表端間幅Ｄがパネル厚寸法Ｄに設定された周囲殻壁４が立ち上げられ、該周囲殻壁４の表端には、裏殻壁３に対峙する表殻壁５が設けられ、裏殻壁３、周囲殻壁４および表殻壁５に囲まれた内部に密閉収容部６が設けられた胸部用防弾パネル型ケース２であって、該密閉収容部６中には、蓄冷材７が充填されてなるものとされた、この発明の胸部用防弾パネル型保冷具における代表的な一実施例を示すものである。
【００３１】
図１ないし図３からも明確に把握できるとおり、この発明の胸部用防弾パネル型保冷具１は、その外郭部分となる胸部用防弾パネル型ケース２が、ポリプロピレン樹脂がブロー成形されてなる一体型の成形品であって、胸部用防弾パネル型ケース２の、着用対象人体Ｐの胸部周囲がわに配することとなる裏殻壁３２は、底辺ＢＳが、直立姿勢の着用対象人体Ｐの腹部左右端間幅の１／１ないし１／３の左右端間幅Ｗ（例えば、２２０ｍｍ）に設定され、直立姿勢の着用対象人体Ｐの臍部付近に水平に配置されることとなるものであり、左右平行辺ＰＳ，ＰＳは、底辺ＢＳの左右端から鉛直上方に向けて直角且つ互いに平行に延伸され、上端が直立姿勢の着用対象人体Ｐの胸部付近に達する高さ（例えば、２００ｍｍ）に設定され、左右三角筋回避辺ＤＳ，ＤＳが、左右平行辺ＰＳ，ＰＳの上端から直立姿勢の着用対象人体Ｐの鎖骨の直下付近に達するよう、上方に向かうに従って左右端間が次第に幅狭くなる左右対称状に傾斜、延伸され、上辺ＵＳが、左右三角筋回避辺ＤＳ，ＤＳの上端間に、底辺ＢＳに平行するよう水平に掛け渡され、且つ直立姿勢の着用対象人体Ｐの首の略左右端間幅に相当する左右端間幅（例えば１００ｍｍ）に設定されたものとなり、底辺ＢＳから上辺ＵＳまでの全高Ｈが、例えば２９５ｍｍとなっている。
【００３２】
着用対象人体Ｐの胸部の前・後の何れか一方に沿って配される裏殻壁３は、底辺ＢＳ、左右三角筋回避辺ＤＳ，ＤＳ、上辺ＵＳを含む全面が、着用対象人体Ｐの胸部周囲に沿って鉛直軸心周りの水平曲率半径（例えば３００ｍｍないし１，０００ｍｍ）ＨＲの緩やかな円弧状断面形に湾曲され、しかも、前記左右平行辺ＰＳ，ＰＳ、左右三角筋回避辺ＤＳ，ＤＳを含む全面が、着用対象人体の胸部周囲に沿って水平軸心周りの前記水平曲率半径ＨＲよりも遙かに大きな垂直曲率半径（例えば２，０００ｍｍないし６，０００ｍｍ）ＶＲの緩やかな円弧状断面形に湾曲されたものとなっている。
【００３３】
裏殻壁３の左右端間幅Ｗの中央には、底辺ＢＳの近傍から上辺ＵＳの近傍まで、左右端間幅２０ｍｍ、厚み方向の深さ２１ｍｍ、左右平行辺ＰＳ，ＰＳに平行な方向の長さ２１５ｍｍの平面視長円形の中央補強レール部Ｒ１が配され、該中央補強レール部Ｒ１と左右平行辺ＰＳ，ＰＳとの左右間幅の中央には、夫々左右端間幅２０ｍｍ、厚み方向の深さ２１ｍｍ、左右平行辺ＰＳ，ＰＳに平行な方向の長さ１８５ｍｍの平面視長円形の左右補強レール部Ｒ２，Ｒ２が配され、合計３本の補強レール群Ｒ（Ｒ１，Ｒ２，Ｒ２）が設けられており、該裏殻壁３の底辺ＢＳ、左右平行辺ＰＳ，ＰＳ、左右三角筋回避辺ＤＳ，ＤＳおよび上辺ＵＳから、裏表端間幅Ｄが一定のパネル厚寸法（例えば２７ｍｍ）Ｄに設定された周囲殻壁４が略水平方向に立ち上げられ、該周囲殻壁４の表端には、裏殻壁３に対し、裏殻壁３と略同じ曲面形状となって対峙する表殻壁５が一体に設けられたものとなっている。
【００３４】
そして、表殻壁５にも、裏殻壁３の補強レール群Ｒ（Ｒ１，Ｒ２，Ｒ２）に対応する箇所に、左右端間幅２０ｍｍ、厚み方向の深さ２１ｍｍ、左右平行辺ＰＳ，ＰＳに平行な方向の長さ２１５ｍｍの平面視長円形の中央補強レール部Ｒ１、および、該中央補強レール部Ｒ１と左右平行辺ＰＳ，ＰＳとの左右間幅の中央の夫々に、左右端間幅２０ｍｍ、厚み方向の深さ２１ｍｍ、左右平行辺ＰＳ，ＰＳに平行な方向の長さ１８５ｍｍの平面視長円形の左右補強レール部Ｒ２，Ｒ２からなる補強レール群Ｒが設けられ、裏殻壁３の補強レール群Ｒ（Ｒ１，Ｒ２，Ｒ２）の底部と、表殻壁５の補強レール群Ｒ（Ｒ１，Ｒ２，Ｒ２）の底部とが、互いに一体に結合されたものとなっているが、互いの補強レール群Ｒ，Ｒの底部が、一体化されていないものとすることも可能である。
【００３５】
胸部用防弾パネル型保冷具１は、胸部用防弾パネル型ケース２の裏殻壁３、周囲殻壁４（補強レール群Ｒ）および表殻壁５（補強レール群Ｒ）に囲まれた内部に、それら外部形状と立体的相似形とされた密閉収容部６が設けられ、密閉収容部６の全部または一部の何れか一方を満たす量の蓄冷材（例えば、水に保存料が添加された水溶液）７が、例えば、上辺ＵＳの左右端間の中央に対応する周囲殻壁４に開口された充填口４０を通じ充填された上、該充填口４０が、溶融合成樹脂または接着剤などによって閉鎖され、開放不能に密閉されたものとなっている。
【００３６】
図２ないし図６に示す事例は、着用対象人体Ｐに対し伝熱可能に被着される前身頃部９１および後身頃部９２を有し、双肩に掛ける肩ベルト部９３、および、後身頃部９２から前身頃部９１に左右胸部を回り込む胸部ベルト部９４が設けられた防弾ベスト型の着衣体９０であって、該防弾ベスト型の着衣体９０の前身頃部９１および後身頃部９２の中央の夫々に、前記胸部用防弾パネル型保冷具１を着脱自在に装填可能な形状の胸部衣嚢９５が設けられ、前後の各胸部衣嚢９５，９５の夫々に胸部用防弾パネル型保冷具１，１が着脱自在に装填されてなる、この発明の基本をなす前記胸部用防弾パネル型保冷具１を利用した冷却衣９の一実施例を示すものである。
【００３７】
防弾ベスト型の着衣体９０は、通気性および通水性を有する、例えばポリエステル繊維やポリエチレン繊維、ポリアミド繊維などの合成繊維、綿、麻、それらの合成繊維の何れか一、または、それらの組み合わせなどからなる生地が縫製されてなるものとされ、前身頃部９１は、裏生地、側生地、表生地が前記胸部用防弾パネル型保冷具１を収容する形状に縫製され、下端に装填口ＬＰが開口された下向き袋状のものとなっており、表地の装填口ＬＰの下縁から、先端に面ファスナーＨＦおよび操作用ループＯＬが設けられた底蓋ＢＴが延伸され、裏生地の下がわ内面に面ファスナーＨＦが積層状に設けられ、底蓋ＢＴを閉じ合わせ可能なものとなっている。
【００３８】
前身頃部９１の表生地の上下端間の中央付近から底蓋ＢＴの根元付近までの範囲に面ファスナーＨＦが積層状に設けられ、該面ファスナーＨＦの上端から、胸部ベルト部９４，９４の先端を挟み込み可能な上下幅に設定され、表生地の上下端間の中央付近から下がわの範囲に対峙することとなる裏面に面ファスナーＨＦが積層状に設けられた固定蓋ＦＬが垂下されたものとなっており、該表生地の固定蓋ＦＬより上がわとなる表面、および、固定蓋ＦＬの閉鎖中に外側となる表面には、水平に平行するよう上下に一定間隔を隔てて配置され、左右（水平）方向に２０ｍｍないし４０ｍｍの間隔毎に縫着された樹脂繊維製のウェビング（帯）からなる、所謂パルス（Ｐｏｕｃｈ  Ａｔｔａｃｈｍｅｎｔ  Ｌａｄｄｅｒ  Ｓｙｓｔｅｍ：ＰＡＬＳ）ＰＬが配設されており、さらに、胸部用防弾パネル型保冷具１の左右三角筋回避辺ＤＳ，ＤＳに対応する裏生地上端がわ左右の傾斜辺部分の夫々からは、表面の基端と先端との夫々に互いに結合する面ファスナーＨＦ，ＨＦが設けられた左右の肩ベルト部９３，９３の前部をなす前部肩ベルトＦＢ，ＦＢが延伸されたものとなっている。
【００３９】
後身頃部９２は、裏生地、側生地、表生地が前記胸部用防弾パネル型保冷具１を収容する形状に縫製され、下端に装填口ＬＰが開口された下向き袋状のものとなっており、表地の装填口ＬＰの下縁から、先端に面ファスナーＨＦおよび操作用ループＯＬが設けられた底蓋ＢＴが延伸され、裏生地の下がわ内面に面ファスナーＨＦが積層状に設けられ、底蓋ＢＴを閉じ合わせ可能なものとなっている。
【００４０】
後身頃部９２の表生地の上下端間の中央付近から下がわとなる左右端には、左右方向に貫通するよう上下端が縫着されたベルトループＢＬ，ＢＬが設けられ、表生地の上下端間のベルトループＢＬ，ＢＬの余となる略全面には、パルス（Ｐｏｕｃｈ  Ａｔｔａｃｈｍｅｎｔ  Ｌａｄｄｅｒ  Ｓｙｓｔｅｍ：ＰＡＬＳ）ＰＬが配設され、該表生地の上下端間の中央付近から下がわに相当する上下幅、および、着用対象人体Ｐの胸部周囲の左右半身の周囲長さに相当する長さに設定された左右分割型の帯状であって、左右夫々の先端の表裏両面に面ファスナーＨＦが積層状に設けられ、表面の面ファスナーＨＦが設けられている範囲の余となる範囲、および裏面の基端寄りの範囲の夫々にパルスＰＬが配設され、帯形状の基端からは、先端に面ファスナーＨＦを有するウェビングＷＢが、概略Ｌ字形に延伸されてなる左右の胸部ベルト部９４，９４が、それらの基端がわが夫々前記左右のベルトループＢＬ，ＢＬの左右外側より夫々差し通された上、該表生地の左右端間中央で付き合わせられた左右の胸部ベルト部９４，９４の基端が、該表生地の上下端間の中央付近から下がわとなる範囲のパルスＰＬと、左右の胸部ベルト部９４，９４の基端がわのパルスＰＬ，ＰＬとに交互に差し通されたウェビングＷＢ，ＷＢによって強固に連結されたものとなっている。
【００４１】
後身頃部９２の胸部用防弾パネル型保冷具１の左右三角筋回避辺ＤＳ，ＤＳに対応する表生地の上端がわ左右の傾斜辺部分の夫々からは、肩ベルト部９３の後部の一部となるバックルを有したバックルベルトＢＢ，ＢＢが延伸され、また、後身頃部９２の胸部用防弾パネル型保冷具１の左右三角筋回避辺ＤＳ，ＤＳに対応する裏生地の上端がわ左右の傾斜辺部分の夫々からは、内部にクッション材が内蔵されると共に、表面の前端寄りと中途箇所とにベルトループＢＬ，ＢＬが設けられ、肩ベルト部９３の後部の他部となる後部肩ベルトＲＢ，ＲＢが延伸されたものとなっており、前記前身頃部９１の左右夫々の前部肩ベルトＦＢ，ＦＢが、後身頃部９２の左右夫々の後部肩ベルトＲＢ，ＲＢの先端がわより、各ベルトループＢＬ，ＢＬ，……に差し通され、左右夫々のバックルベルトＢＢ，ＢＢのバックルを通って折り返された上、再び各ベルトループＢＬ，ＢＬ，……に差し通され、左右夫々の前部肩ベルトＦＢ，ＦＢが、夫々の先端がわと基端がわとの面ファスナーＨＦ，ＨＦ，……同士が結合され、長さ調節可能な肩ベルト部９３とされている。
【００４２】
以上のような構造とされた防弾ベスト型の着衣体９０には、その前身頃部９１および後身頃部９２に設けられた夫々の胸部衣嚢９５，９５に対し、各装填口ＬＰ，ＬＰを通じ、この発明の基本をなす胸部用防弾パネル型保冷具１，１が装填された上、各底蓋ＢＴ，ＢＬの面ファスナーＨＦを有する先端がわが、図５および図６中に示す実線矢印のように、胸部用防弾パネル型保冷具１，１の底辺ＢＳ，ＢＳがわの周囲殻壁４を覆って下支えするよう迂回し、夫々の裏生地の下がわ内面の面ファスナーＨＦに積層状且つ着脱自在に結合され、前後夫々の胸部衣嚢９５，９５内に、胸部用防弾パネル型保冷具１，１が夫々一体的に装填され、この発明の冷却衣９が完成されたものとなっている。
【００４３】
また、図５および図６に示すように、胸部用防弾パネル型保冷具１の胸部用防弾パネル型ケース２の裏殻壁３の着用対象人体Ｐの胸部がわに面することとなる外壁面には、フェルトや軟質発泡樹脂、その他のクッション素材かなる緩衝材層８が、積層状に一体化されたものとすることができる外、別体の緩衝材層８が積層状に配された状態となるよう胸部衣嚢９５内に挿入、および取り出し自在に装着されたものなどとすることができる。
【００４４】
さらにまた、図７に示すように、ジャケット型の着衣体９０の後身頃部９２の胸背部左右端間中央となる位置に、上端に開閉用ファスナーを有した装填口ＬＰが設けられた胸部衣嚢９５が一体に配された着衣体９０に対し、該胸部衣嚢９５に、この発明の基本をなす胸部用防弾パネル型保冷具１が装填されてなる冷却衣９とすることが可能である。
そして、図８に示すように、オーバーオール型の着衣体９０の前身頃部９１の胸部左右端間中央となる位置に、下端に開閉用ファスナーが配された装填口ＬＰを有する胸部衣嚢９５が一体化された着衣体９０に対し、該胸部衣嚢９５に、この発明の基本をなす胸部用防弾パネル型保冷具１が装填されてなる冷却衣９とすることが可能である。
【００４５】
（実施例１の作用・効果）
以上のとおりの構成からなるこの発明の胸部用防弾パネル型保冷具１、およびそれを利用した防弾ベスト型の冷却衣９は、図１ないし図６に示すように、防弾ベスト型の着衣体９０の前身頃部９１および後身頃部９２の底部に開口された装填口ＬＰ，ＬＰより、胸部用防弾パネル型保冷具１，１を装填し、底蓋ＢＴ，ＢＬで閉鎖すると簡単に収容および一体的に固定することができる上、胸部用防弾パネル型保冷具１，１を取り外す際には、底蓋ＢＴ，ＢＬの操作用ループＯＬ，ＯＬを下方に引き下げるだけで、夫々の胸部用防弾パネル型保冷具１，１が、自らの自重によって滑落状に排出されるものとなるから、胸部用防弾パネル型保冷具１，１の着脱操作性により優れたものである。
【００４６】
また、着用対象人体Ｐの双肩に対し、左右の肩ベルト部９３，９３が掛けられ、着用対象人体Ｐの胸部の前がわに前身頃部９１が垂下し、着用対象人体Ｐの背面がわに後身頃部９２が垂下された状態から、左右の胸部ベルト部９４，９４の中途部が、着用対象人体Ｐの左右の脇下（脇腹）に夫々巻き付くよう取り回され、該左右の胸部ベルト部９４，９４の各先端がわの内向きとなる面ファスナーＨＦ，ＨＦが、前身頃部９１の表地の下がわの面ファスナーＨＦに対し、該左右の胸部ベルト部９４，９４の各先端同士が互いに突き合わせられた状態に対峙するよう着脱自在に結合された上、該左右の胸部ベルト部９４，９４の各先端の外向きとされた面ファスナーＨＦ，ＨＦに対し、固定蓋ＦＬが閉じ合わせられるよう閉鎖され、該固定蓋ＦＬの裏面の面ファスナーＨＦが、着脱自在に結合され、着用対象人体Ｐの胸部周囲に対し、この発明の冷却衣９が、簡便に取り付けられたものとなり、着用対象人体Ｐの胸部周囲から取り外す際には、固定蓋ＦＬを開放し、左右の胸部ベルト部９４，９４の先端を、前身頃部９１の表地の下がわの面ファスナーＨＦから剥がすよう操作されると、簡便且つ速やかに取り外すことが可能である。
【００４７】
また、図７および図８に示したように、後身頃部９２の胸部衣嚢９５に胸部用防弾パネル型保冷具１が装填されたジャケット型の着衣体９０や、前身頃部９１の胸部衣嚢９５に胸部用防弾パネル型保冷具１が装填されたオーバーオール型の着衣体９０などを有する冷却衣９，９などは、着用対象人体Ｐに対し、夫々の冷却衣９，９が、時を別にして個別に着用されたものとすることができる外、各冷却衣９，９を同時に着用されたものとし、着用対象人体Ｐの胸部前面および背面の双方を同時に冷却可能なものとすることが可能である。
【００４８】
（結  び）
叙述の如く、この発明の胸部用防弾パネル型保冷具、およびそれを利用した冷却衣は、その新規な構成によって所期の目的を遍く達成可能とするものであり、しかも製造も容易で、従前からの冷却衣技術に比較して硬質な胸部用防弾パネル型ケースを有する胸部用防弾パネル型保冷具は、その耐久強度が格段に高められ、収容可能な蓄冷材の容量を大幅に増大して冷却効果の長時間に渡る持続性が可能となり、保冷具の交換サイクロを長くすることができ、利用コストをより低廉化して遥かに経済的なものとすることができるから、従前までであれば、保冷具の耐久強度が弱く、激しく振動したり、強い圧力を受けたり、衝撃力を受けたりするようなスポーツやレジャーに利用することを断念せざるを得なかったスポーツ用品業界業界やレジャー用品業界は固よりのこと、酷暑の中でも作業可能な冷却衣を提供しようとする衣類業界や、サバイバルゲーム用品類を提供するホビー業界などにおいても高く評価されるようになり、広範に渡って利用、普及していくものになると予想される。                                                                              
【符号の説明】
【００４９】
１      胸部用防弾パネル型保冷具
２      胸部用防弾パネル型ケース
３      裏殻壁
Ｗ    同  左右端間幅
ＢＳ    同  底辺
ＰＳ    同  左右平行辺
ＤＳ    同  左右三角筋回避辺
ＵＳ    同  上辺
ＨＲ      水平曲率半径
ＶＲ      垂直曲率半径
Ｒ      補強レール群
Ｒ１    同  中央補強レール部
Ｒ２    同  左右補強レール部
Ｄ      パネル厚寸法
Ｈ      パネル全高
４      周囲殻壁
４０    同  充填口
５      表殻壁
６      密閉収容部
７      蓄冷材
８      緩衝材層
９      冷却衣
９０    同  防弾ベスト型の着衣体（ジャケット型の着衣体、オーバーオール型の着衣体）
９１    同  前身頃部
９２    同  後身頃部
９３    同  肩ベルト部
９４    同  胸部ベルト部
９５    同  胸部衣嚢
ＬＰ    同  装填口
ＢＴ    同  底蓋
ＨＦ    同  面ファスナー
ＯＬ    同  操作用ループ
ＦＬ    同  固定蓋
ＰＬ    同  パルス（ＰＡＬＳ）
ＢＬ    同  ベルトループ
ＦＢ    同  前部肩ベルト
ＢＢ    同  バックルベルト
ＲＢ    同  後部肩ベルト
Ｐ      着用対象人体
【図１】
2020105661.tif 000003
【図２】
2020105661.tif 000004
【図３】
2020105661.tif 000005
【図４】
2020105661.tif 000006
【図５】
2020105661.tif 000007
【図６】
2020105661.tif 000008
【図７】
2020105661.tif 000009
【図８】
2020105661.tif 000010
【手続補正書】
【提出日】令和1年11月26日(2019.11.26)
【手続補正１】
【補正対象書類名】特許請求の範囲
【補正対象項目名】全文
【補正方法】変更
【補正の内容】
【特許請求の範囲】
【請求項１】
直立姿勢の着用対象人体の腹部左右端間幅の１／１ないし１／３の左右端間幅に設定された底辺、底辺の左右端から上方に向けて延伸された左右平行辺、左右平行辺の上端から上方に向かうに従って左右端間が次第に幅狭くなるよう傾斜、延伸された左右三角筋回避辺、および、左右三角筋回避辺の上端間に掛け渡された上辺を有し、前記底辺、左右三角筋回避辺、上辺を含む全面が、着用対象人体の胸部周囲に沿って鉛直軸心周りの円弧状断面形に湾曲され、しかも、前記左右平行辺、左右三角筋回避辺を含む全面が、着用対象人体の胸部周囲に沿って水平軸心周りの円弧状断面形に湾曲され、着用対象人体の胸部周囲に沿って配されることとなる裏殻壁が設けられ、該裏殻壁の底辺、左右平行辺、左右三角筋回避辺および上辺から、裏表端間幅がパネル厚寸法に設定された周囲殻壁が立ち上げられ、該周囲殻壁の表端には、裏殻壁に対峙する表殻壁が設けられ、裏殻壁、周囲殻壁および表殻壁に囲まれた内部に密閉収容部が設けられた熱伝導性、密閉状の硬質な胸部用防弾パネル型ケースであって、該胸部用防弾パネル型ケースの密閉収容部中には、蓄冷材が充填されてなるものとしたことを特徴とする胸部用防弾パネル型保冷具。
【請求項２】
直立姿勢の着用対象人体の腹部左右端間幅の１／１ないし１／３の左右端間幅に設定された底辺、底辺の左右端から上方に向けて延伸された左右平行辺、左右平行辺の上端から上方に向かうに従って左右端間が次第に幅狭くなるよう傾斜、延伸された左右三角筋回避辺、および、左右三角筋回避辺の上端間に掛け渡された上辺を有し、前記底辺、左右三角筋回避辺、上辺を含む全面が、着用対象人体の胸部周囲に沿って鉛直軸心周りの円弧状断面形に湾曲され、しかも、前記左右平行辺、左右三角筋回避辺を含む全面が、着用対象人体の胸部周囲に沿って水平軸心周りの円弧状断面形に湾曲され、着用対象人体の胸部周囲に沿って配されることとなる裏殻壁が設けられ、該裏殻壁の底辺、左右平行辺、左右三角筋回避辺および上辺から、裏表端間幅がパネル厚寸法に設定された周囲殻壁が立ち上げられ、該周囲殻壁の表端には、裏殻壁に対峙する表殻壁が設けられ、裏殻壁、周囲殻壁および表殻壁に囲まれた内部に密閉収容部が設けられた熱伝導性、密閉状の硬質な胸部用防弾パネル型ケースであって、該胸部用防弾パネル型ケースの密閉収容部中には、蓄冷材が充填され、着用対象人体に被着される着衣類に設けられた胸部衣嚢に着脱自在に装填されるものとしたことを特徴とする胸部用防弾パネル型保冷具。
【請求項３】
直立姿勢の着用対象人体の腹部左右端間幅の１／１ないし１／３の左右端間幅に設定され、直立姿勢の着用対象人体の臍部付近に水平に配置されることとなる底辺、底辺の左右端から鉛直上方に向けて直角且つ互いに平行に延伸され、上端が直立姿勢の着用対象人体の胸部付近に達する高さに設定された左右平行辺、左右平行辺の上端から直立姿勢の着用対象人体の鎖骨の直下付近に達するよう、上方に向かうに従って左右端間が次第に幅狭くなる左右対称状に傾斜、延伸された左右三角筋回避辺、および、左右三角筋回避辺の上端間に、底辺に平行するよう水平に掛け渡され、且つ直立姿勢の着用対象人体の首の略左右端間幅に相当する左右端間幅に設定された上辺を有し、前記底辺、左右三角筋回避辺、上辺を含む全面が、着用対象人体の胸部周囲に沿って鉛直軸心周りの水平曲率半径の緩やかな円弧状断面形に湾曲され、しかも、前記左右平行辺、左右三角筋回避辺を含む全面が、着用対象人体の胸部周囲に沿って水平軸心周りの前記水平曲率半径よりも大きな垂直曲率半径の緩やかな円弧状断面形に湾曲され、着用対象人体の胸部の前・後の何れか一方に沿って配されることとなる裏殻壁が設けられ、該裏殻壁の底辺、左右平行辺、左右三角筋回避辺および上辺から、裏表端間幅がパネル厚寸法に設定された周囲殻壁が略水平方向に立ち上げられ、該周囲殻壁の表端には、裏殻壁に対し、裏殻壁と略同形状となって対峙する表殻壁が設けられ、裏殻壁、周囲殻壁および表殻壁に囲まれた内部に外部形状と立体的相似形とされた密閉収容部が設けられた熱伝導性、密閉状の硬質な胸部用防弾パネル型ケースであって、該胸部用防弾パネル型ケースの密閉収容部中には、密閉収容部の全部または一部の何れか一方を満たす量の蓄冷材が充填されてなるものとしたことを特徴とする胸部用防弾パネル型保冷具。
【請求項４】
裏殻壁または表殻壁の少なくとも何れか一方に、上下方向に向いた直線状をなす外向き凹条形の複数本の補強レール部が、左右方向に等間隔を隔てて配されてなるものとした、請求項１ないし３何れか一記載の胸部用防弾パネル型保冷具。
【請求項５】
裏殻壁が、その外がわの略全面に緩衝材層が、積層状に一体化されてなるものとした、請求項１ないし４何れか一記載の胸部用防弾パネル型保冷具。
【請求項６】
着用対象人体に対して伝熱可能に被着される前身頃部または後身頃部の少なくとも何れか一方を有した着衣体であって、該着衣体の前身頃部または後身頃部の少なくとも何れか一方に、胸部用防弾パネル型保冷具を着脱自在に装填可能な形状の胸部衣嚢が設けられ、該胸部衣嚢に胸部用防弾パネル型保冷具が着脱自在に装填されてなるものとした、請求項１ないし請求項５何れか一記載の胸部用防弾パネル型保冷具を利用した冷却衣。
【請求項７】
着用対象人体に対し伝熱可能に被着される前身頃部および後身頃部を有し、双肩に掛ける肩ベルト部、および、後身頃部から前身頃部に左右胸部を回り込む胸部ベルト部が設けられた防弾ベスト型の着衣体であって、該防弾ベスト型の着衣体の前身頃部または後身頃部の少なくとも何れか一方に、胸部用防弾パネル型保冷具を着脱自在に装填可能な形状の胸部衣嚢が設けられ、胸部衣嚢に胸部用防弾パネル型保冷具が着脱自在に装填されてなるものとした、請求項１ないし請求項５何れか一記載の胸部用防弾パネル型保冷具を利用した冷却衣。                                                                                                                  
【手続補正２】
【補正対象書類名】明細書
【補正対象項目名】００１０
【補正方法】変更
【補正の内容】
【００１０】
（関連する発明１）
上記した胸部用防弾パネル型保冷具に関連し、この発明には、それを利用した冷却衣も包含している。
即ち、着用対象人体に対して伝熱可能に被着される前身頃部または後身頃部の少なくとも何れか一方を有した着衣体であって、該着衣体の前身頃部または後身頃部の少なくとも何れか一方に、胸部用防弾パネル型保冷具を着脱自在に装填可能な形状の胸部衣嚢が設けられ、該胸部衣嚢に胸部用防弾パネル型保冷具が着脱自在に装填されてなるものとした、この発明の基本をなす前記胸部用防弾パネル型保冷具を利用した冷却衣である。                                  
【手続補正３】
【補正対象書類名】明細書
【補正対象項目名】００１１
【補正方法】変更
【補正の内容】
【００１１】
この発明の冷却衣を、より具体的なものとして示すならば、着用対象人体に対し伝熱可能に被着される前身頃部および後身頃部を有し、双肩に掛ける肩ベルト部、および、後身頃部から前身頃部に左右胸部を回り込む胸部ベルト部が設けられた防弾ベスト型の着衣体であって、該防弾ベスト型の着衣体の前身頃部または後身頃部の少なくとも何れか一方に、胸部用防弾パネル型保冷具を着脱自在に装填可能な形状の胸部衣嚢が設けられ、胸部衣嚢に胸部用防弾パネル型保冷具が着脱自在に装填されてなるものとした、この発明の基本をなす前記胸部用防弾パネル型保冷具を利用した冷却衣ということができる。                                  
【手続補正４】
【補正対象書類名】明細書
【補正対象項目名】００１５
【補正方法】変更
【補正の内容】
【００１５】
さらに、胸部用防弾パネル型ケースの裏殻壁または表殻壁の少なくとも何れか一方に、上下方向に向いた直線状をなす外向き凹条形の複数本の補強レール部が、左右方向に等間隔を隔てて配されてなる胸部用防弾パネル型保冷具は、強い外圧や衝撃力などを受けた場合にも、容易に変形することなく、格段に高い強度のものとなり、着用対象人体の胸部をより一層安全に保護するものとなる。